(57)【要約】【課題】外部調光装置が導入されなくても調光でき、また、外部調光装置が導入されれば外部調光装置によって調光することができるＬＥＤ照明器具を提供する。【解決手段】ＬＥＤ照明器具１０は、ＬＥＤ素子２１と、ＬＥＤ素子２１の明るさを調整する調光信号を出力する調光部３６とが筐体４０に収納され、筐体４０に取り付けられ、ＬＥＤ素子２１の明るさを指示する指示信号を出力する指示部５０を有する。調光部３６は、外部調光装置１００からの第１の調光信号を検出したときには第１の調光信号が選択され、第１の調光信号が非検出であるときには、指示部５０からの指示信号に基づいて生成されたＬＥＤ素子２１への第２の調光信号が選択され、調光信号としてＬＥＤ素子２１へ出力する。【選択図】図２
2019012674.tif 000002
【特許請求の範囲】
【請求項１】
ＬＥＤ素子と、前記ＬＥＤ素子の明るさを調整する調光信号を出力する調光部と、前記ＬＥＤ素子の明るさを指示する指示信号を出力する指示部とを有し、
前記調光部は、外部調光装置からの第１の調光信号の有無を検出する検出部と、前記指示部からの指示信号に基づいて前記ＬＥＤ素子への第２の調光信号を生成する信号生成部と、前記検出部が第１の調光信号を検出したときに前記第１の調光信号を選択し、前記第１の調光信号が非検出であるときに前記第２の調光信号を選択して、前記調光信号として出力する選択部とを備えたＬＥＤ照明器具。
【請求項２】
前記指示部は、スイッチと、前記調光部に接続するためのコネクタ付きケーブルとにより形成され、
前記信号生成部は、前記スイッチが押下され、前記指示信号が出力されるごとに、前記第２の調光信号による調光を段階的に変更する請求項１記載のＬＥＤ照明器具。
【請求項３】
前記調光部は、前記指示部が前記信号生成部に対して指示した調光の設定を格納する不揮発性メモリを備えた請求項２記載のＬＥＤ照明器具。
【請求項４】
前記外部調光装置からの前記第１の調光信号を伝送するケーブルの接続コネクタ、または前記指示部からのケーブルの接続コネクタが択一的に接続される入力コネクタを備えた請求項２または３記載のＬＥＤ照明器具。
【請求項５】
前記検出部は、ＰＷＭ制御による前記第１の調光信号の変化により、前記第１の調光信号の有無を検出する請求項１から４のいずれかの項に記載のＬＥＤ照明器具。
【請求項６】
前記選択部からの前記調光信号を、後段のＬＥＤ照明器具への第１調光信号として出力するための出力コネクタを備えた請求項１から５のいずれかの項に記載のＬＥＤ照明器具。
【発明の詳細な説明】
【技術分野】
【０００１】
本発明は、ＬＥＤ素子の調光が可能なＬＥＤ照明器具に関するものである。
【背景技術】
【０００２】
大人数が収容できる会議室や宴会場、ホールなどの施設では、数多くの照明器具が設置される。照明器具は、消費電力や寿命の点から光源としてＬＥＤ素子を採用したＬＥＤ照明器具の設置が進んでいる。そして、このＬＥＤ照明器具を一度に調光するために外部調光装置が設置され、外部調光装置のボリュームまたはスイッチを操作することで、明るさが無段階または段階的に調整できる。
このようなＬＥＤ照明器具の明るさを調整する外部調光装置を備えた照明システムとして特許文献１に記載されたものが知られている。
【０００３】
特許文献１に記載の照明システムは、少なくとも一つのグループに分けられた照明の調光レベルを決定し、決定された調光レベルによる調光指示を出力する管理装置と、調光指示に基づき、グループ内の全ての照明が消灯する状態に遷移するか否かを判定し、グループ内の全ての照明が消灯する状態に遷移すると判定された場合に、照明に電力供給を行なう電源装置に対して、対応するグループの照明への電力供給を停止させる指示を出力する制御装置とを備えたものである。
【先行技術文献】
【特許文献】
【０００４】
【特許文献１】特開２０１６−２４８６９号公報
【発明の概要】
【発明が解決しようとする課題】
【０００５】
外部調光装置は、１台で、複数系統あるＬＥＤ照明器具の明るさを系統ごとに無段階に連続調整できることから高価であり、かつ外部調光装置からＬＥＤ照明器具までの配線が必要となるため、施設の設計時の検討において、調光が随時調整できなくても支障が無いとの判断から、外部調光装置の導入が見送られることがある。その場合、外部調光装置が設置されないため、所定の明るさに調整が固定された状態でＬＥＤ照明器具が設置される。
【０００６】
しかし、ＬＥＤ照明器具の明るさが、明る過ぎてしまったときには、ＬＥＤ照明器具が所定の明るさに調整が固定され、明るさの調整ができないことから、使用者は明る過ぎた状態のまま我慢して使用しなければならない上に、必要以上に電力を消費するため、ＬＥＤ照明器具に求められる省エネルギー効果を発揮できない場合がある。従って、外部調光装置を導入せずに、所定の明るさに調整が固定された状態のＬＥＤ照明器具を導入することはリスクがあるのが実情である。
また、ＬＥＤ照明器具を設置した後に外部調光装置を導入して、ＬＥＤ照明器具の調光をしようとしても、所定の明るさに調整が固定されたＬＥＤ照明器具では対応できない。
【０００７】
そこで本発明は、外部調光装置が導入されなくても調光でき、また、外部調光装置が導入されれば外部調光装置によって調光することができるＬＥＤ照明器具を提供することを目的とする。
【課題を解決するための手段】
【０００８】
本発明のＬＥＤ照明器具は、ＬＥＤ素子と、前記ＬＥＤ素子の明るさを調整する調光信号を出力する調光部と、前記ＬＥＤ素子の明るさを指示する指示信号を出力する指示部とを有し、前記調光部は、外部調光装置からの第１の調光信号の有無を検出する検出部と、前記指示部からの指示信号に基づいて前記ＬＥＤ素子への第２の調光信号を生成する信号生成部と、前記検出部が第１の調光信号を検出したときに前記第１の調光信号を選択し、前記第１の調光信号が非検出であるときに前記第２の調光信号を選択して、前記調光信号として出力する選択部とを備えたことを特徴とする。
【０００９】
本発明のＬＥＤ照明器具によれば、外部調光装置が設置されないときには、検出部が外部調光装置からの第１の調光信号を検出することができない。そのため、選択部は指示部からのＬＥＤ素子の明るさを指示する指示信号に基づいて、信号生成部が生成するＬＥＤ素子への第２の調光信号を選択して、ＬＥＤ素子の明るさを調整する調光信号として出力する。従って、本発明のＬＥＤ照明器具では、指示部によりＬＥＤ素子の明るさを調光することができる。
また、外部調光装置が設置されたときには、検出部が外部調光装置からの第１の調光信号を検出する。そのため、選択部は、第１の調光信号を選択して調光信号として出力する。そのため、外部調光装置が設置されていれば、外部調光装置からの第１の調光信号によりＬＥＤ素子の明るさを調整することができる。
【００１０】
前記指示部は、スイッチと、前記調光部に接続するためのコネクタ付きケーブルとにより形成され、前記信号生成部は、前記スイッチが押下され、前記指示信号が前記調光部へ出力されるごとに、前記第２の調光信号による調光を段階的に変更することができる。
このように指示部を構成することで、スイッチだけでＬＥＤ素子の調光を指示することができる。
【００１１】
前記調光部は、前記指示部が前記信号生成部に対して指示した調光の設定を格納する不揮発性メモリを備えることが望ましい。
本発明のＬＥＤ照明器具への電源が遮断され、非点灯状態となり、再度電源が供給されたとしても、信号生成部が不揮発性メモリから明るさを示す値を読み出し、読み出した明るさを示す値に基づいて第２の調光信号を生成することができる。従って、施設に本発明のＬＥＤ照明器具を設置するときに、明るさの調整が完了すると、指示部をコネクタから取り外すことができる。
【００１２】
前記外部調光装置からの前記第１の調光信号を伝送するケーブルの接続コネクタ、または前記指示部からのケーブルの接続コネクタが択一的に接続される入力コネクタを備えることができる。入力コネクタとして、外部調光装置からのケーブルの接続コネクタ用、指示部からのケーブルの接続コネクタ用の２個を別々に設けると、接続コネクタを間違えて違う方の入力コネクタに接続してしまうおそれがある。しかし、入力コネクタが１個であると、外部調光装置からのケーブルの接続コネクタか、または指示部からのケーブルの接続コネクタが択一的に接続されるため、入力コネクタへの接続時に接続コネクタを接続すべき入力コネクタとは違う入力コネクタに接続してしまうことを防止することができる。
【００１３】
前記検出部は、ＰＷＭ制御による前記第１の調光信号の変化により、前記第１の調光信号の有無を検出することができる。第１の調光信号がＰＷＭ制御によるものであれば、「Ｌ」から「Ｈ」、「Ｈ」から「Ｌ」へと立ち上がりおよび立ち下がりを含む信号となる。検出部が第１の調光信号の変化を検出することで、第１の調光信号を出力する外部調光装置が本発明のＬＥＤ照明器具に接続されているか否かを判別することができる。
【００１４】
前記選択部からの前記調光信号を、後段のＬＥＤ照明器具への第１調光信号として出力するための出力コネクタを備えることができる。選択部により第１の調光信号と第２の調光信号が選択され、出力される調光信号を、後段のＬＥＤ照明器具への第１調光信号として出力コネクタから出力することで、最前段のＬＥＤ照明器具を、外部調光装置として見立てることができる。
【発明の効果】
【００１５】
本発明のＬＥＤ照明器具は、外部調光装置が設置されていなければ、指示部によりＬＥＤ素子の明るさを調光することができ、外部調光装置が設置されたときには、外部調光装置からの第１の調光信号によりＬＥＤ素子の明るさを調整することができるため、外部調光装置が導入されなくても調光でき、また、外部調光装置が導入されれば外部調光装置によって調光することができる。更に、ＬＥＤ素子の明るさの調整ができるため、ＬＥＤ素子が明るすぎる場合と比較して、不必要な電力の消費が抑えられるため、本発明のＬＥＤ照明器具は、省エネルギー効果を得ることができる。
【図面の簡単な説明】
【００１６】
【図１】本発明の実施の形態１に係るＬＥＤ照明器具が系統ごとに芋づる接続され、外部調光装置に接続された構成を示す図である。
【図２】図１に示すＬＥＤ照明器具の構成を説明するための図である。
【図３】図２に示すＬＥＤ照明器具の調光部の構成を説明するための図である。
【図４】第１の調光信号を説明するための波形の図であり、（Ａ）は明るさ１００％のときの第１の調光信号の波形を示す図、（Ｂ）は明るさ０％のときの第１の調光信号の波形を示す図である。
【図５】本発明の実施の形態２に係るＬＥＤ照明器具の構成を説明するための図である。
【発明を実施するための形態】
【００１７】
（実施の形態１）
本発明の実施の形態１に係るＬＥＤ照明器具を図面に基づいて説明する。
図１に示すＬＥＤ照明器具１０は、直線状の蛍光灯タイプの照明器具である。ＬＥＤ照明器具１０は、一系統ごとに芋づる接続されている。外部調光装置１００が設置されるときには、最前段のＬＥＤ照明器具１０が外部調光装置１００に接続される。
【００１８】
図２に示すように、ＬＥＤ照明器具１０は、照明部２２が実装されたＬＥＤ基板２０と、ＬＥＤ素子２１（照明部２２）の明るさを調光するための回路部品が実装された回路基板３０とが、筐体４０に収納された器具本体１０ｍと、指示部５０とを備えている。
【００１９】
照明部２２は、ＬＥＤ素子２１が直列接続されていたり、直列接続されたＬＥＤ素子２１が並列接続されていたりしたものである。
回路基板３０には、電源部３１と、受信部３２と、ドライバー部３３と、入力コネクタ３４と、出力コネクタ３５と、調光部３６とが実装されている。
【００２０】
電源部３１は、外部調光装置１００から供給される電源、または別配線された電源が接続され、回路基板３０内の各回路の部品を動作させるための電源を供給するものである。本実施の形態１では、電源部３１は、例えば、交流１００Ｖが入力され、回路部品を動作させる直流の５Ｖや３．３Ｖ、±１２Ｖなどが出力される。
受信部３２は、外部調光装置１００からの調光信号（ローアクティブ（負論理）の第１の調光信号）を入力して、波形整形や、調光部３６の入力電圧レベルに適合するように電圧レベルの調整などを行うバッファである。ドライバー部３３は、調光部３６から調光信号を増幅して、照明部２２へ出力する増幅回路である。
【００２１】
入力コネクタ３４は、外部からの信号を入力するためのケーブルが接続されるものである。入力コネクタ３４は、外部調光装置１００と接続され、第１の調光信号を伝送するケーブル１０１の接続コネクタ１０２またはスイッチ５１と接続されるケーブル５２の接続コネクタ５３が択一的に接続される。
【００２２】
入力コネクタ３４が接続コネクタ１０２と接続されることで、外部調光装置１００からの調光用信号線と、この調光用信号線に対するグランド線とが、受信部３２の調光信号の入力とグランドとに接続される。
また、入力コネクタ３４が接続コネクタ５３と接続されることで、スイッチ５１からの２本の信号線のうち、一方の信号線が、抵抗Ｒによりプルアップされた調光部３６の指示信号の入力に接続され、他方の信号線がグランドに接続される。
入力コネクタ３４は、左右の入れ替わり時の挿入を防止する逆接続防止機構を備えていることが望ましい。入力コネクタ３４は、例えば、外部調光装置１００からの信号本数と、指示部５０からの信号本数との合計に基づく４ピン、または４ピン以上を有するコネクタとすることができる。
【００２３】
出力コネクタ３５は、後段のＬＥＤ照明器具１０に調光信号を伝達するためのケーブルを接続するためのものである。
【００２４】
調光部３６は、ファームウェアと称されるプログラムが内蔵されていると共に、電源部３１からの電源の供給が止まってもデータが消去されない不揮発性メモリを有し、プログラムにより照明部２２の調光制御を行うマイクロコントローラとすることができる。
図３に示すように、調光部３６は、検出部３６１と、信号生成部３６２と、選択部３６３と、反転部３６４と、不揮発性メモリ３６５とを備えている。
【００２５】
検出部３６１は、外部調光装置１００からの第１の調光信号の有無を検出して、第１の調光信号が検出された場合には、第１の調光信号が入力され、有効であることを示す検出信号を選択部３６３へ出力する。また、第１の調光信号が非検出である場合には、第１の調光信号が入力されず、無効であることを示す検出信号を選択部３６３へ出力する。
信号生成部３６２は、指示部５０からの指示信号に基づいてＬＥＤ素子２１への第２の調光信号を生成する。第２の調光信号は、負論理の第１の調光信号に合わせて、パルス幅により明るさを制御するローアクティブ（負論理）のＰＷＭ信号である。
【００２６】
選択部３６３は、調光信号を、反転部３６４を介してドライバー部３３へ出力すると共に、出力コネクタ３５へ出力する。選択部３６３は、検出信号が有効を示すときに、受信部３２からの第１の調光信号を選択し、検出信号が無効を示すときに、信号生成部３６２からの第２の調光信号を選択して、ドライバー部３３へ出力する。
反転部３６４は、ドライバー部３３に接続されている。反転部３６４は、選択部３６３からの外部調光装置１００からの負論理の第１の調光信号または信号生成部３６２からの第２の調光信号の電圧レベルを反転させてハイアクティブ（正論理）として出力する。
不揮発性メモリ３６５は、信号生成部３６２による明るさの設定が格納される。
【００２７】
指示部５０は、ＬＥＤ素子２１の明るさを指示する指示信号を出力するものである。指示部５０は、スイッチ５１と、調光部３６に入力コネクタ３４を介して接続するためのコネクタ付きケーブルとにより形成されている。スイッチ５１は、例えば、押し釦式のスイッチにより形成され、スイッチ５１の押下により２本の信号が短絡状態となる。コネクタ付きケーブルは、ケーブル５２と接続コネクタ５３とを備えている。
指示部５０は、スイッチ５１が筐体４０の外側から操作できるよう、筐体４０から外側にスイッチ５１が位置し、ケーブル５２が筐体４０へ入り、接続コネクタ５３が入力コネクタ３４に接続されている。ケーブル５２は、長さが約２０ｃｍから約２ｍのものを使用することができる。
筐体４０は、ＬＥＤ基板２０と回路基板３０とを収納する長尺状金属製の本体部と、ＬＥＤ基板２０のＬＥＤ素子２１からの光を拡散させる長尺状でドーム状に形成された拡散部とを備えている。
【００２８】
以上のように構成された本発明の実施の形態に係るＬＥＤ照明器具１０の動作および使用状態を図面に基づいて説明する。まず、外部調光装置１００が設置されていない状態を説明する。
図２に示すように、外部調光装置１００が設置されていない状態では、入力コネクタ３４には、指示部５０の接続コネクタ５３が接続されており、外部調光装置１００からのケーブル１０１の接続コネクタ１０２が接続されていないため、受信部３２には外部調光装置１００からの第１の調光信号が入力されない状態である。
【００２９】
第１の調光信号は、パルス幅により明るさを制御するローアクティブなＰＷＭ信号である。例えば、図４（Ａ）に示すように明るさ１００％の第１の調光信号は、「Ｌ」期間が長く、「Ｈ」期間が短いが、明るさ１００％であっても「Ｈ」期間がある。また、図４（Ｂ）に示すように明るさ０％の第１の調光信号は、「Ｈ」期間が長く、「Ｌ」期間が短いが、明るさ０％であっても「Ｌ」期間がある。従って、第１の調光信号はいずれの明るさの場合でも「Ｌ」から「Ｈ」への立ち上がり、または「Ｈ」から「Ｌ」への立ち下がりがある。検出部３６１が、「Ｌ」から「Ｈ」への立ち上がり、または「Ｈ」から「Ｌ」への立ち下がりを第１の調光信号の変化として検出することで、外部調光装置１００からの第１の調光信号の有無を検出することができ、第１の調光信号を出力する外部調光装置１００がＬＥＤ照明器具１０に接続されているか否かを判別することができる。
【００３０】
図２に示す外部調光装置１００からのケーブルが非接続状態である場合には、受信部３２に第１の調光信号が入力されないため、図３に示す調光部３６の検出部３６１は第１の調光信号が検出できない。従って、検出部３６１からの検出信号が無効となるため、選択部３６３は信号生成部３６２からの第２の調光信号を選択して反転部３６４を介してドライバー部３３へ、および出力コネクタ３５へ出力する。
【００３１】
ここで、第２の調光信号を生成する信号生成部３６２の動作について説明する。
信号生成部３６２は、不揮発性メモリ３６５に初期設定された明るさで第２の調光信号を選択部３６３へ出力する。例えば、第２の調光信号の初期状態を明るさ１００％とすることができる。
【００３２】
入力コネクタ３４には、指示部５０の接続コネクタ５３が接続されている。従って、図２に示すスイッチ５１からの２本の信号のうち、一方の信号は抵抗Ｒにより電源電圧にプルアップされ、図３に示す調光部３６の信号生成部３６２に入力される。また、他方の信号は接地された状態である。そのため、スイッチ５１が押下されると、スイッチ５１からの２本の信号は、スイッチ５１により短絡されるため、信号生成部３６２に入力された信号はＬレベルとなる。
【００３３】
使用者は、明るさを変更したいときに、スイッチ５１を押下する。スイッチ５１が押下されることで、Ｌレベルの信号が、ＬＥＤ素子２１の明るさを指示する指示信号となって信号生成部３６２に入力される。
信号生成部３６２は、Ｌレベルの信号を検出すると、例えば、明るさを９０％に下げた第２の調光信号とすることができる。本実施の形態１では、スイッチ５１が押下される度に暗くなるものとする。従って、信号生成部３６２は、１段階、明るさを下げた、例えば、明るさを１００％から９０％とした第２の調光信号を生成して出力すると共に、１段階下げた明るさを示す値を、不揮発性メモリ３６５に格納する。
【００３４】
使用者が、まだ明る過ぎると感じた場合には、再度、スイッチ５１を押下する。そうすることにより、信号生成部３６２は、更に１段階暗くした第２の調光信号を生成して出力すると共に、その明るさを示す値を、不揮発性メモリ３６５に格納する。
段階的に明るさを下げ、明るさが６０％となり、更に明るさを下げた場合には、明るさを１００％に戻すことができる。
このように、信号生成部３６２は、スイッチ５１を押下する度に、初期状態の１００％から、９０％、８０％、７０％、６０％となり、設定可能な下限値まで到達すると、再度、初期状態の１００％と戻るような調光制御を行っている。
【００３５】
信号生成部３６２が明るさをサイクリックに変化させることにより、スイッチ５１が１個であっても、１００％から６０％までの明るさを、スイッチ５１だけでＬＥＤ素子２１の調光を段階的に指示することができる。また、明るさを示す値が不揮発性メモリ３６５に格納されるため、電源が切断され、再投入されても、以前の明るさを維持することができる。
なお、本実施の形態では、信号生成部３６２が指示部５０の指示により段階的に暗くなるような制御を行っていたが、段階的に明るくなるような制御を行うようにしてもよい。また、明るさを０％まで下げるようにしてもよい。
【００３６】
図１に示す指示部５０により明るさが設定されると、信号生成部３６２が明るさを示す値を不揮発性メモリ３６５に格納している。そのため、ＬＥＤ照明器具１０への電源が遮断され、非点灯状態となり、再度電源が供給されたとしても、信号生成部３６２が不揮発性メモリ３６５から明るさを示す値を読み出し、読み出した明るさを示す値に基づいて第２の調光信号を生成する。従って、施設にＬＥＤ照明器具１０を設置するときに、明るさの調整が完了すると、接続コネクタ５３を入力コネクタ３４から抜き、指示部５０を取り外すことができる。
【００３７】
外部調光装置１００が設置されている場合には、外部調光装置１００からのケーブル１０１が入力コネクタ３４に接続されている。
従って、受信部３２に外部調光装置１００からの第１の調光信号が入力されるため、調光部３６の検出部３６１により、第１の調光信号を検出することができる。従って、検出部３６１からの検出信号が有効であるため、選択部３６３は受信部３２からの第１の調光信号を選択してドライバー部３３へ出力する。
【００３８】
ドライバー部３３は、選択部３６３からの調光信号として出力された第１の調光信号または第２の調光信号を増幅して照明部２２へ出力することで、ＰＷＭ信号のパルス幅に応じた時間でＬＥＤ素子２１が調光される。
【００３９】
選択部３６３からの調光信号は、出力コネクタ３５に出力される。出力コネクタ３５には後段のＬＥＤ照明器具１０の入力コネクタ３４に接続するケーブル（図示せず）が接続される。
【００４０】
この後段のＬＥＤ照明器具１０の入力コネクタ３４に接続されるケーブルは、接続コネクタ１０２と同じピンアサインとしている。従って、後段のＬＥＤ照明器具１０は、最前段のＬＥＤ照明器具１０に外部調光装置１００が接続されていても、また、外部調光装置１００が非接続状態で、指示部５０により調光が指示されていても、最前段のＬＥＤ照明器具１０が外部調光装置１００に見える。
そのため、最前段のＬＥＤ照明器具１０から芋づる接続されたＬＥＤ照明器具１０は、外部調光装置１００が接続された状態の最前段のＬＥＤ照明器具１０と同じ動作により、照明部２２を調光することができる。従って、ＬＥＤ照明器具１０を芋づる式に接続することで、系統ごとに調光を調整することができる。
【００４１】
入力コネクタ３４には、外部調光装置１００からのケーブル１０１の接続コネクタ１０２か、または指示部５０からのケーブル５２の接続コネクタ５３が択一的に接続されるため、入力コネクタ３４への接続時に接続コネクタ５３，１０２を他のコネクタに誤接続してしまうことを防止することができる。
【００４２】
以上、本実施の形態１に係るＬＥＤ照明器具１０によれば、外部調光装置１００が設置されないときには、検出部３６１が外部調光装置１００からの第１の調光信号を検出しないため、選択部３６３が、信号生成部３６２が生成するＬＥＤ素子２１への第２の調光信号を選択して、ＬＥＤ素子２１の明るさを調整する調光信号として出力する。従って、ＬＥＤ照明器具１０では、指示部５０によりＬＥＤ素子２１の明るさを調光することができる。
また、外部調光装置１００が設置されたときには、検出部３６１が外部調光装置１００からの第１の調光信号を検出するため、選択部３６３が、第１の調光信号を選択して調光信号として出力するので、外部調光装置１００が設置されていれば、第１の調光信号によりＬＥＤ素子２１の明るさを調整することができる。
【００４３】
よって、ＬＥＤ照明器具１０は、外部調光装置１００が導入されなくても調光でき、また、外部調光装置１００が導入されれば外部調光装置１００によって調光することができる。
【００４４】
また、ＬＥＤ照明器具１０の明るさにばらつきがあっても、それぞれのＬＥＤ照明器具１０にて指示部５０により調整ができるため、明るさを統一させることができる。個別にＬＥＤ照明器具１０の明るさを調整した場合には、出力コネクタ３５と後段のＬＥＤ照明器具１０の入力コネクタ３４をケーブルで接続しなければ、個別に明るさを調整したＬＥＤ照明器具１０からの第２の調光信号が調光信号として後段へ伝達されない。そのため、前段のＬＥＤ照明器具１０と非接続のＬＥＤ照明器具１０では、指示部５０により調整した個別の明るさの設定を有効とすることができる。
【００４５】
（実施の形態２）
本発明の実施の形態２に係るＬＥＤ照明器具について図面に基づいて説明する。なお、図５においては、図２と同じ構成のものは同符号を付して説明を省略する。
本実施の形態２に係るＬＥＤ照明器具１１は、器具本体１０ｎと、電波により明るさを指示する指示部６０と、赤外線により明るさを指示する指示部７０とを備えている。
【００４６】
電波により明るさを指示する指示部６０は、筐体４０の外部から無線信号を送信する無線送信装置６１と、器具本体１０ｎの回路基板３０に実装され、無線送信装置６１からの無線信号を受信するアンテナ６２と、アンテナ６２で受信した信号を復号化して調光部３６に出力するデコーダ６３とを備えている。
【００４７】
赤外線により明るさを指示する指示部７０は、筐体４０の外部から赤外線信号を送信する赤外線送信装置７１と、器具本体１０ｎの回路基板３０に実装され、赤外線送信装置７１からの赤外線信号を受光して調光部３６に出力する受光器７２とを備えている。
【００４８】
例えば、指示部６０を使用してＬＥＤ素子２１の明るさを調整するときには、無線送信装置６１から送信された指示信号をアンテナ６２が受信し、デコーダ６３が復号化して調光部３６へ出力することで、図２に示すスイッチ５１を１回押下したことと同様の信号が調光部３６に入力される。
【００４９】
また、指示部７０を使用してＬＥＤ素子２１の明るさを調整するときには、赤外線送信装置７１から送信された指示信号を受光器７２が受信して調光部３６へ出力することで、図２に示すスイッチ５１を１回押下したことと同様の信号が調光部３６に入力される。
【００５０】
デコーダ６３からの指示信号、受光器７２からの指示信号が調光部３６に入力されることで、調光部３６では、指示部５０，６０，７０のいずれかの指示信号により、図３に示す信号生成部３６２が第２の調光信号を生成する。これ以降については、指示部５０による調光と同じであるため説明は省略する。
【００５１】
このように、ＬＥＤ照明器具１１の筐体４０の外部から操作できるため、離れた場所からでも明るさを調整することができる。
なお、指示部６０の無線信号の周波数，指示部７０の赤外線信号によるパルスについては、他のＬＥＤ照明器具が誤作動を起こさないように、数種類、切り替えられるようにすることが望ましい。
【産業上の利用可能性】
【００５２】
本発明のＬＥＤ照明器具は、外部調光装置が使用される広い場所だけでなく、１灯だけが設置される場所においても好適である。
【符号の説明】
【００５３】
１０，１１  ＬＥＤ照明器具
１０ｍ，１０ｎ  器具本体
２０  ＬＥＤ基板
２１  ＬＥＤ素子
２２  照明部
３０  回路基板
３１  電源部
３２  受信部
３３  ドライバー部
３４  入力コネクタ
３５  出力コネクタ
３６  調光部
３６１  検出部
３６２  信号生成部
３６３  選択部
３６４  反転部
３６５  不揮発性メモリ
４０  筐体
５０  指示部
５１  スイッチ
５２  ケーブル
５３  接続コネクタ
６０  指示部
６１  無線送信装置
６２  アンテナ
６３  デコーダ
７０  指示部
７１  赤外線送信装置
７２  受光器
１００  外部調光装置
１０１  ケーブル
１０２  接続コネクタ
Ｒ  抵抗
【図１】
2019012674.tif 000003
【図２】
2019012674.tif 000004
【図３】
2019012674.tif 000005
【図４】
2019012674.tif 000006
【図５】
2019012674.tif 000007